(57)【要約】【課題】加湿のために吸放湿材に送る外気を加熱する加熱装置の電力に係るコストを加熱装置の稼動に先行して算定し得る加湿制御システムを提供する。【解決手段】加湿制御システム１０は、吸放湿材２１０と、吸放湿材２１０へと外気を送る送風装置２２０と、送風装置２２０により吸放湿材２１０へと送られる外気を加熱するための加熱装置２３０と、加熱装置２３０の稼動に係る制御を行う制御装置１００とを備え、制御装置１００は、将来の設定時間帯における加熱装置２３０の稼動に要するコストを外気温に基づき算定し、算定結果を用いてその設定時間帯における加熱装置２３０の稼動のコストの表示等を行う。【選択図】図１
2017161205.tif 000002
【特許請求の範囲】
【請求項１】
吸放湿材と、
前記吸放湿材へと外気を送る送風装置と、
前記送風装置により前記吸放湿材へと送られる外気を加熱するための加熱装置と、
前記加熱装置の稼動に係る制御を行う制御装置とを備える加湿制御システムであって、
前記制御装置は、将来の設定時間帯における前記加熱装置の稼動に要するコストを外気温に基づき算定し、算定結果を用いて当該設定時間帯における前記加熱装置の稼動に関連する所定処理を実行する
加湿制御システム。
【請求項２】
前記コストは、前記設定時間帯における前記加熱装置の稼動に要する電力量又は当該電力量に対応する電力料金であり、
前記制御装置は、前記所定処理として前記コストについての算定結果の出力を行う
請求項１記載の加湿制御システム。
【請求項３】
前記制御装置は、前記コストについての算定結果を表示して、前記設定時間帯に前記加熱装置を稼動させる又は停止させることを指定する操作を受け付けるユーザインタフェース部を備え、
前記制御装置は、前記ユーザインタフェース部により受け付けられた操作に応じて前記設定時間帯に前記加熱装置を稼動させる又は停止させるよう制御する
請求項２記載の加湿制御システム。
【請求項４】
前記制御装置は、
加湿対象空間の大きさを示す空間情報を取得する空間情報取得部と、
前記空間情報に基づいて、前記加熱装置により外気を加熱するときの目標温度を特定する温度特定部とを備え、
前記制御装置は、前記設定時間帯における外気温と前記目標温度との温度差に応じて前記コストを算定する
請求項２又は３記載の加湿制御システム。
【請求項５】
前記制御装置は、将来の外気温を示す気象予報情報を取得する気象予報情報取得部を備え、
前記制御装置は、前記気象予報情報に基づいて前記設定時間帯における外気温を特定し、特定した外気温と前記目標温度との温度差に応じて前記コストを算定する
請求項４記載の加湿制御システム。
【請求項６】
前記制御装置は、前記気象予報情報に基づいて、前記設定時間帯における単位時間毎に外気温の最大値と最小値とを特定し、特定した前記最大値と前記目標温度との温度差、及び、特定した前記最小値と前記目標温度との温度差に応じて、前記コストの範囲を算定し、
前記ユーザインタフェース部は、前記コストの範囲についての算定結果を表示する
請求項５記載の加湿制御システム。
【請求項７】
前記ユーザインタフェース部は更に、前記設定時間帯を定める設定操作を受け付け、
前記制御装置は、前記ユーザインタフェース部により受け付けられた設定操作に応じて、前記設定時間帯を定める
請求項２〜６のいずれか一項に記載の加湿制御システム。
【請求項８】
前記加湿制御システムは、外気温を測定する測定装置を備え、
前記制御装置は、前記測定装置により測定された外気温に基づいて将来の前記設定時間帯における外気温を特定し、特定した外気温と前記目標温度との温度差に応じて前記コストを算定する
請求項４記載の加湿制御システム。
【請求項９】
前記制御装置は、前記所定処理として、前記コストについての算定結果に応じて前記設定時間帯に前記加熱装置を稼動させるか停止させるかのいずれかを行うよう制御する
請求項１記載の加湿制御システム。
【請求項１０】
前記制御装置は、ユーザにより指定されたコストの上限を示す上限情報を取得する上限情報取得部を備え、
前記制御装置は、前記コストについての算定結果が、前記上限情報が示す上限を超えない場合に前記設定時間帯に前記加熱装置を稼動させ、当該算定結果が、前記上限情報が示す上限を超える場合には前記設定時間帯に前記加熱装置を停止させる
請求項９記載の加湿制御システム。
【請求項１１】
吸放湿材と、前記吸放湿材へと外気を送る送風装置と、前記送風装置により前記吸放湿材へと送られる外気を加熱するための加熱装置と、マイクロプロセッサを有し前記加熱装置の稼動に係る制御を行う制御装置とを備える加湿制御システムにおいて、前記制御装置に制御処理を実行させるための制御プログラムであって、
前記制御処理は、
外気温に関する情報を取得する取得ステップと、
前記取得ステップにおいて取得された情報に基づいて将来の設定時間帯における外気温を特定する外気温特定ステップと、
前記設定時間帯における前記加熱装置の稼動に要するコストを、前記外気温特定ステップで特定された外気温に基づいて算定する算定ステップと、
前記算定ステップで算定された前記コストを用いて、前記設定時間帯における前記加熱装置の稼動に関連する所定処理を実行する処理ステップとを含む
制御プログラム。
【発明の詳細な説明】
【技術分野】
【０００１】
本発明は、加湿制御システム、及び、この加湿制御システムで用いられる制御プログラムに関する。
【背景技術】
【０００２】
従来、吸湿体に外気を送って空気中の水分を吸着させ、その吸湿体をヒーターで加熱し水分を脱離させることで加湿を行う加湿システム（空気調和機等）が知られている（特許文献１参照）。
【先行技術文献】
【特許文献】
【０００３】
【特許文献１】特開２００６−１８９２１０号公報
【発明の概要】
【発明が解決しようとする課題】
【０００４】
ところで、吸湿体（吸放湿材）に送る外気をヒーターで加熱することで吸放湿材から放出される水分により居室空間等を適度な湿度へと加湿する加湿制御システムでは、外気の温度によってはヒーターの負荷が比較的大きくなることがある。
【０００５】
そこで、本発明は、ヒーターの稼動に要するコスト次第では加湿をしない方を選択したいユーザに対応すべくなされたものである。即ち、本発明は、電気式ヒーター等の加熱装置の稼動に要するコストに応じて加熱装置を稼動させるか稼動させないかの選択を可能にすべく、稼動に先行して加熱装置の電力に係るコストを算定し得る加湿制御システムを提供することを目的とする。また、本発明は、この加湿制御システムで用いられる制御プログラムを提供することを目的とする。
【課題を解決するための手段】
【０００６】
上記目的を達成するために本発明の一態様に係る加湿制御システムは、吸放湿材と、前記吸放湿材へと外気を送る送風装置と、前記送風装置により前記吸放湿材へと送られる外気を加熱するための加熱装置と、前記加熱装置の稼動に係る制御を行う制御装置とを備える加湿制御システムであって、前記制御装置は、将来の設定時間帯における前記加熱装置の稼動に要するコストを外気温に基づき算定し、算定結果を用いて当該設定時間帯における前記加熱装置の稼動に関連する所定処理を実行する。
【０００７】
また、上記目的を達成するために本発明の一態様に係る制御プログラムは、吸放湿材と、前記吸放湿材へと外気を送る送風装置と、前記送風装置により前記吸放湿材へと送られる外気を加熱するための加熱装置と、マイクロプロセッサを有し前記加熱装置の稼動に係る制御を行う制御装置とを備える加湿制御システムにおいて、前記制御装置に制御処理を実行させるための制御プログラムであって、前記制御処理は、外気温に関する情報を取得する取得ステップと、前記取得ステップにおいて取得された情報に基づいて将来の設定時間帯における外気温を特定する外気温特定ステップと、前記設定時間帯における前記加熱装置の稼動に要するコストを、前記外気温特定ステップで特定された外気温に基づいて算定する算定ステップと、前記算定ステップで算定された前記コストを用いて、前記設定時間帯における前記加熱装置の稼動に関連する所定処理を実行する処理ステップとを含む。
【発明の効果】
【０００８】
本発明によれば、加湿のために要する加熱装置の消費電力等のコストを算定できる。このため、例えば、コストの高低に応じて加熱装置を稼動させる、或いは、稼動させないという選択が可能となる。
【図面の簡単な説明】
【０００９】
【図１】実施の形態１に係る加湿制御システムの概略構成を示す図である。
【図２】実施の形態１に係る制御装置の機能ブロック図である。
【図３】実施の形態１に係る加湿制御設定情報の入力用画面の一例を示す図である。
【図４】目標温度特定用情報の一例を示す図である。
【図５】気象予報情報の一例を示す図である。
【図６】実施の形態１に係る制御装置による制御処理の一例を示すフローチャートである。
【図７】制御処理により出力される画面の一例を示す図である。
【図８】一部変更した制御処理により出力される画面の一例を示す図である。
【図９】実施の形態２に係る加湿制御システムの概略構成を示す図である。
【図１０】実施の形態２に係る制御装置の機能ブロック図である。
【図１１】実施の形態３に係る制御装置の機能ブロック図である。
【図１２】実施の形態３に係る加湿制御設定情報の入力用画面の一例を示す図である。
【図１３】実施の形態３に係る制御装置による制御処理の一例を示すフローチャートである。
【発明を実施するための形態】
【００１０】
（実施の形態１）
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１１】
以下、本発明の一実施形態に係る加湿制御システムについて説明する。
【００１２】
（構成）
図１は、本実施の形態に係る加湿制御システム１０の概略構成を示す図である。同図の例は、建築物である住宅２０の内部（屋内）に設けられた加湿制御システム１０の各構成要素を示している。
【００１３】
また、図１には住宅２０の外部（屋外）のネットワーク３１及びサーバ装置３０を付記している。サーバ装置３０は、ウェブサーバ機能等を有するコンピュータであり、例えば行政機関、民間団体等に運用され、測定された各種気象データに基づいて予測した各地域における将来の気温等を示す気象予報情報を提供する。ネットワーク３１は、例えばインターネット等の広域ネットワークである。
【００１４】
加湿制御システム１０は、外気を取り込んで屋内の各領域を加湿するためのシステムであり、制御装置１００、吸放湿ユニット２００、送風装置２２０、加熱装置２３０及び情報端末５０を含んで構成される。屋内の各領域は、図１の居室２１、２２等であり、具体例としては、寝室、リビングルーム、キッチン、廊下等である。ここでは、便宜上、居室２１の加湿に着目して説明する。
【００１５】
吸放湿ユニット２００は、例えば、居室２１の壁パネルの中に設けられ、吸放湿材２１０を含んでいる。吸放湿材２１０は、吸湿し放湿する材料であり、例えばゼオライトである。壁パネルは、例えば高さが２ｍ、幅が４ｍ、厚みが０．１ｍであり、吸放湿ユニット２００は、例えば、高さ及び幅が壁パネルと略同じで厚みが０．０７ｍ程度である。下部から吸放湿ユニット２００に流入した空気は、吸放湿材２１０に触れて吸放湿ユニット２００の上部に設けられた開口（吹出口）から居室２１へと流れる。
【００１６】
送風装置２２０は、ファンを有し、屋外の空気（外気）を吸放湿ユニット２００の吸放湿材２１０へと送る。外気を取り込んで送風装置２２０から吸放湿ユニット２００の下部へ導く経路として例えばエアダクト等が設けられてもよい。
【００１７】
加熱装置２３０は、送風装置２２０により吸放湿材２１０に送られる空気を加熱する装置であり、電気エネルギーを用いて空気を加熱するヒーター、加熱した空気の温度を測定する温度センサ等を含む。加熱方式は、いかなる方式でもよく、例えば抵抗加熱方式である。加熱装置２３０は制御装置１００の制御下で設定時間帯に稼動され得る。ここでは、設定時間帯は、一例として、夜間から翌朝にかけての時間帯であることを想定して説明するが、他の時間帯を排除する意味ではない。加熱装置２３０が稼動していない状態では、水分を含んだ外気が吸放湿材２１０に送られることで、吸放湿材２１０が水分を吸着する。加熱装置２３０が稼動した状態では、外気が加熱され、乾いた空気が吸放湿材２１０に送られることで、吸放湿材２１０の水分が脱離した状態となり、その水分を含む空気が居室２１へ流れる。これにより居室２１は加湿される。
【００１８】
制御装置１００は、加熱装置２３０等を制御する機能を有するコンピュータである。制御装置１００は、通信インタフェース（Ｉ／Ｆ）１０１、メモリ１０２及びプロセッサ（マイクロプロセッサ）１０３を含んで構成される。通信Ｉ／Ｆ１０１は、無線通信或いは有線通信のための通信回路等である。通信Ｉ／Ｆ１０１により、制御装置１００は、例えば情報端末５０、サーバ装置３０等と通信可能である。メモリ１０２は、プログラム及びデータを予め保持しているＲＯＭ、プログラムの実行に際してデータ等の記憶に利用するためのＲＡＭ等であり、例えば不揮発性メモリを含んでいてもよい。なお、制御装置１００は、メモリ１０２の他にハードディスク装置等の記憶装置を含んでもよい。プロセッサ１０３は、メモリに格納されたプログラムを実行することにより通信Ｉ／Ｆ１０１等を制御して各種処理を行う。制御装置１００は、ユーザインタフェースとしての表示装置（ディスプレイ）及び入力装置（キーボード、タッチパネル等）を有してもよい。ここでは、制御装置１００は、通信Ｉ／Ｆ１０１を用いて情報端末５０と通信することで、情報端末５０を制御装置１００のユーザインタフェース（表示装置及び入力装置）として利用することとする。情報端末５０は、通信Ｉ／Ｆ、メモリ、プロセッサ、表示装置及び入力装置を含む、タブレット、スマートフォン等のコンピュータであり、住宅２０の住人（ユーザ）に使用される。
【００１９】
制御装置１００は、加熱装置２３０の稼動に係る制御のための制御処理を実行する。このために制御装置１００は、機能面では、図２に示すようにユーザインタフェース部１１０、記憶部１２０、空間情報取得部１３０、時間帯情報取得部１４０、気象予報情報取得部１５０、温度特定部１６０、コスト算定部１７０及び制御部１８０を備える。
【００２０】
ユーザインタフェース部１１０は、情報を表示してユーザ操作を受け付ける機能を有し、通信Ｉ／Ｆ１０１、制御プログラムを実行するプロセッサ１０３等により実現される。具体的には、ユーザインタフェース部１１０は、情報（例えば加湿に要する電力量の情報等）を情報端末５０に送信することで情報端末５０に表示させる。そして、ユーザインタフェース部１１０は、情報端末５０が受けたユーザ操作に係る情報を情報端末５０から受信することで取得する。ユーザが入力し得る情報としては、加湿制御設定情報がある。加湿制御設定情報は、加湿対象となる空間の大きさを示す空間情報、加湿する時間帯（設定時間帯）を示す時間帯情報等であり、ユーザが入力しない場合には予め定められた既定値（デフォルト値）が用いられる。なお、加湿対象となる空間の大きさは、例えば、空間（居室）の容積、或いは、床面積等に関連した各種単位（例えば立方メートル、或いは、平方メートル、畳数等）の数値で表現され得る。図３に、加湿制御設定情報の入力画面の一例を示す。同図に示す画面５１は、加湿する空間の大きさの入力用の入力フィールド５１ａ、加湿する時間帯（設定時間帯）の入力用の入力フィールド５１ｂ、５１ｃ、及び、設定ボタン５１ｄを含む。ユーザは、各入力フィールドに数値を入力して設定ボタン５１ｄを押下することで、設定操作（加湿制御設定情報の入力）を行い、ユーザインタフェース部１１０は、入力内容を取得する。また、ユーザは、ユーザインタフェース部１１０に対して、加熱装置２３０を設定時間帯に稼動させるか、停止させるかの入力操作（つまり加湿のための加熱を行うか否かの選択操作）を行い得る。なお、制御装置１００が表示装置及び入力装置を有する場合にはユーザインタフェース部１１０はその表示装置に情報を表示し、その入力装置からユーザ操作に係る情報を取得してもよい。
【００２１】
記憶部１２０は、メモリ１０２の一領域等で実現され、空間情報、設定時間帯、目標温度特定用情報等を記憶する機能を有する。図４に、予め定められた目標温度特定用情報の一例を示す。加湿制御システム１０により、加湿対象の空間を適切な湿度（相対湿度）にするためには、その空間の大きさに応じて、加熱装置２３０により加熱すべき温度が異なる。適切な相対湿度は、例えば、一般的に人にとって快適とされる４０〜６０％の範囲内の値である。目標温度特定用情報は、複数の空間の大きさそれぞれと、目標温度とを対応付けた情報である。空間の大きさが大きいほど高い目標温度と対応する。目標温度特定用情報は、温度特定部１６０により、目標温度を特定するために用いられる。
【００２２】
空間情報取得部１３０は、制御プログラムを実行するプロセッサ１０３等により実現され、ユーザインタフェース部１１０を介して、ユーザに入力された空間情報を取得し、記憶部１２０に記憶させる機能を有する。
【００２３】
時間帯情報取得部１４０は、制御プログラムを実行するプロセッサ１０３等により実現され、ユーザインタフェース部１１０を介して、ユーザに入力された、設定時間帯を示す時間帯情報を取得し、設定時間帯を記憶部１２０に記憶させる機能を有する。
【００２４】
気象予報情報取得部１５０は、通信Ｉ／Ｆ１０１、制御プログラムを実行するプロセッサ１０３等により実現される。気象予報情報取得部１５０は、例えば、制御装置１００に予め設定された住宅２０の所在地域の識別情報を参照し、サーバ装置３０にアクセスしてその地域に対応した気象予報情報を受信することで気象予報情報を取得してコスト算定部１７０に伝える機能を有する。気象予報情報取得部１５０のサーバ装置３０へのアクセスは、ネットワーク３１を介して行われる。図５に、気象予報情報の一例を示す。同図に示すように、気象予報情報は、将来の各時間帯における外気温を示す情報であり、外気温の他に、例えば天気等を含んでもよい。
【００２５】
温度特定部１６０は、制御プログラムを実行するプロセッサ１０３等により実現され、記憶部１２０に記憶された目標温度特定用情報と空間情報とに基づいて、加熱装置２３０により外気を加熱するときの目標温度を特定する機能を有する。
【００２６】
コスト算定部１７０は、制御プログラムを実行するプロセッサ１０３等により実現される。コスト算定部１７０は、記憶部１２０に記憶された設定時間帯が到来する前に設定時間帯（将来の設定時間帯）における加熱装置２３０の稼動に要するコストを外気温に基づき算定する機能を有する。コストは、例えば、将来の設定時間帯において加熱装置２３０が消費するであろう電力量（加熱装置２３０の稼動に要する電力量）、或いは、その電力量に対応する電力料金等である。ここでは、コストが電力量及び電力料金であるとして説明する。コスト算定部１７０は、外気温を、気象予報情報取得部１５０から伝えられる気象予報情報により、得る。コスト算定部１７０は、加熱装置負荷算出部１７１及び電力量算定部１７２を含んでいる。
【００２７】
加熱装置負荷算出部１７１では、温度特定部１６０により特定された目標温度と、設定時間帯における外気温との温度差に応じて、加熱装置２３０の負荷を算出する。具体的には、加熱装置負荷算出部１７１は、目標温度と外気温との温度差（℃、Ｋ）に、空気の比熱（Ｊ／（ｋｇ・Ｋ））と空間情報が示す空間の大きさに対応する空気の量（立方メートル）と空気の密度（ｋｇ／立方メートル）とを乗ずることにより、負荷（Ｊ）を算出する。加熱装置負荷算出部１７１では、気象予報情報に基づいて、例えば、設定時間帯における単位時間（例えば１時間）毎の外気温を特定して、単位時間毎に、目標温度との温度差に応じて加熱装置２３０の負荷を算出し得る。単位時間は、気象予報情報において一定時間毎に外気温が予測されている場合に、その一定時間と同じであってもよいし、その一定時間と異なる時間であってもよい。単位時間とその一定時間とが異なる場合には、加熱装置負荷算出部１７１は、単位時間毎の外気温を、例えば、気象予報情報におけるその一定時間毎の外気温から推定する。
【００２８】
電力量算定部１７２は、加熱装置負荷算出部１７１により単位時間毎に算出された負荷（Ｊ）に、例えば加熱装置２３０のエネルギー消費効率（ＣＯＰ：Coefficient Of Performance）を乗ずることで、単位時間における電力量（ｋＷｈ）を算出する。そして、電力量算定部１７２は、算出した単位時間毎の電力量の総和を、加熱装置２３０が設定時間帯において消費する電力量として算出する。また、電力量算定部１７２は、その設定時間帯の電力量から電力料金を算出する。電力量から電力料金を導出するために用いる単価は、予め定めた一般的な単価に相当する固定値であってもよいし、ユーザの入力した値、或いは、電力事業者のサーバ等から取得した値であってもよい。即ち、コスト算定部１７０は、加熱装置負荷算出部１７１及び電力量算定部１７２により、設定時間帯における加熱装置２３０の電力消費に係るコストを算定する。コスト算定部１７０は、算定したコスト（電力量及び電力料金）を、ユーザインタフェース部１１０に出力させる。
【００２９】
制御部１８０は、例えば通信Ｉ／Ｆ１０１、制御プログラムを実行するプロセッサ１０３等により実現される。ユーザインタフェース部１１０から、ユーザによる加熱装置２３０を稼動させるか停止させるかに係る選択を受け付けると、その選択に応じて加熱装置２３０を設定時間帯において稼動させる或いは停止させる制御を行う機能を有する。制御部１８０は、加熱装置２３０を設定時間帯において稼動させる場合には、温度特定部１６０により特定された目標温度まで加熱するように加熱装置２３０を制御する。例えば、加熱装置２３０は、制御装置１００から目標温度の指示を受けると、温度センサで測定した温度に応じてヒーターでの加熱の度合いを調整して目標温度に近付くように加熱する。加湿制御システム１０による居室２１の加湿の制御は、主に制御装置１００による加熱装置２３０の制御によって行われる。
【００３０】
上述の各機能構成要素を備える制御装置１００は、将来の設定時間帯における加熱装置２３０の稼動に要するコストを外気温に基づき算定し、算定結果を用いてその設定時間帯における加熱装置２３０の稼動に関連する所定処理（算定結果の出力）を実行する。
【００３１】
（動作）
以下、上述の構成を備える加湿制御システム１０の動作例について、制御装置１００の動作を中心に説明する。
【００３２】
図６は、制御装置１００による制御処理の一例を示すフローチャートである。以下、図６に即して制御処理を説明する。この制御処理は、例えば、毎日１回、夕方等に実行される。
【００３３】
情報端末５０に対するユーザ操作等を受けて、制御装置１００の空間情報取得部１３０は、ユーザインタフェース部１１０を介して空間情報を取得し、記憶部１２０に格納する（ステップＳ１１）。空間情報は、加湿対象となる空間の大きさを示し、例えば、居室２１の全体或いは間仕切り等で区切られた居室２１の一部の広さ（畳数）である（図３参照）。また、同様に、制御装置１００の時間帯情報取得部１４０は、ユーザインタフェース部１１０を介して加湿をする時間帯（設定時間帯）を示す時間帯情報を取得し、設定時間帯を記憶部１２０に格納する（ステップＳ１２）。
【００３４】
また、制御装置１００の気象予報情報取得部１５０は、サーバ装置３０から外気温等を示す気象予報情報を取得する（ステップＳ１３）。
【００３５】
次に、制御装置１００の温度特定部１６０は、記憶部１２０の空間情報に応じて、加熱装置２３０による加熱に係る目標温度を特定する（ステップＳ１４）。
【００３６】
続いて、制御装置１００は、コスト算定部１７０（加熱装置負荷算出部１７１）により、気象予報情報に基づく設定時間帯における外気温（予測値）と目標温度との温度差から加熱装置負荷（加熱装置２３０の負荷）を算出する（ステップＳ１５）。なお、ステップＳ１５では、加熱装置負荷算出部１７１は、上述のように、気象予報情報に基づき、設定時間帯における外気温（例えば単位時間毎の外気温）を特定する。そして、コスト算定部１７０（電力量算定部１７２）は、加熱装置負荷から、設定時間帯における加熱装置２３０の稼動に要する電力量を算定する（ステップＳ１６）。また、電力量算定部１７２は、電力量に対応する電力料金を算定する（ステップＳ１７）。
【００３７】
次に、制御装置１００のコスト算定部１７０は、算定した加熱装置２３０での加熱に要するコスト（電力量及び電力料金）をユーザインタフェース部１１０に出力させる（ステップＳ１８）。これにより、例えば、制御装置１００から電力量及び電力料金の情報が情報端末５０に送信され、情報端末５０において表示される。図７に、制御装置１００のコスト算定部１７０により算定されたコストを情報端末５０において表示する表示画面の一例を示す。同図に示す画面５２は、電力量及び電力料金を表す表示要素５２ａ、及び、選択用ボタン５２ｂ、５２ｃを含む。ユーザは、選択用ボタン５２ｂ及び選択用ボタン５２ｃのいずれかを選択して押下することで、設定時間帯（今晩）に加熱装置２３０を稼動させるか否か（つまり加湿を実行するか停止するか）を指定する。そして、ユーザインタフェース部１１０は、ユーザの指定（設定時間帯に加熱装置２３０を稼動させるか否か）を制御部１８０に伝える。
【００３８】
制御装置１００は、設定時間帯における加熱装置２３０の稼動を指定する操作がなされた場合には（ステップＳ１９）、制御部１８０により設定時間帯に加熱装置２３０を稼動させるよう制御する（ステップＳ２０）。具体的には、制御部１８０は、ステップＳ１４で特定された目標温度となるように加熱装置２３０に加熱を実行させる。例えば、制御部１８０は、加熱装置２３０に目標温度を含み稼動を指示する信号の伝達を行うことでステップＳ２０での制御を実現し得る。
【００３９】
一方、制御装置１００は、設定時間帯における加熱装置２３０の稼動の不実行（停止）を指定する操作がなされた場合には（ステップＳ２１）、制御部１８０により設定時間帯に加熱装置２３０を停止させる（つまり稼動させない）よう制御する（ステップＳ２２）。例えば、制御部１８０は、加熱装置２３０に停止を指示する信号を伝達することで、ステップＳ２２での制御を実現してもよいし、加熱装置２３０に稼動を指示する信号の伝達を抑止することでステップＳ２２での制御を実現してもよい。また、制御装置１００は、ユーザにより設定時間帯に加熱装置２３０を稼動させるか否かに係る指定がなされないままで一定時間（例えば数十分）が経過したときにも、制御部１８０により設定時間帯に加熱装置２３０を停止させるよう制御する（ステップＳ２２）。
【００４０】
このように制御装置１００が制御処理を行うことで、加湿制御システム１０では、加湿のために外気を加熱する加熱装置２３０の稼動に要するコストを稼動に先行して算定し、表示し得る。このため、外気温が比較的低いと予測されること等を要因として、加熱装置２３０の稼動のコストが一定限度より高いと予測される場合には、例えば、加熱装置２３０を稼動させないという選択を、ユーザが行えるようになる。
【００４１】
（実施の形態１の変形例）
上述した実施の形態１では、制御装置１００が、設定時間帯に加熱装置２３０を稼動させる場合に加熱装置２３０のコスト（消費電力に係るコスト）として、１つの電力量及び１つの電力料金を表示する例を示した（図７参照）。この他に、消費電力に係るコストについて範囲（例えば最小値及び最大値）を表示するように制御装置１００を変形してもよい。
【００４２】
この変形した制御装置１００は、ここで説明しない点については実施の形態１で示した制御装置１００と同様である。変形した制御装置１００は、例えば、気象予報情報に基づいて、設定時間帯における単位時間毎に外気温の最大値と最小値とを特定する。例えば、気象予報情報が示す外気温に、気象予報情報が示す天気毎に応じて予め定められた予測誤差を加算した結果を外気温の最大値として特定し、その予測誤差を減算した結果を外気温の最小値として特定する。例えば、天気が晴れの場合は予測誤差が大きく、天気が曇りの場合は予測誤差が小さい。そして、変形した制御装置１００は、その外気温の最大値と目標温度との温度差、及び、特定した外気温の最小値と目標温度との温度差に応じて、コスト算定部１７０により、コストの範囲（電力量の範囲及び電力料金の範囲）を算定する。各温度差から各コスト（コストの範囲の最小値及び最大値）を算定する方法は、実施の形態１で示した方法と同様である。そして、変形した制御装置１００のコスト算定部１７０は、算定したコストの範囲をユーザインタフェース部１１０に出力させる。ユーザインタフェース部１１０の出力により、例えば、変形した制御装置１００から電力量及び電力料金の範囲を示す情報が情報端末５０に送信され、情報端末５０において表示される。図８に、変形した制御装置１００のコスト算定部１７０により算定されたコストを情報端末５０において表示する表示画面の一例を示す。同図に示す画面５３は、電力量及び電力料金の範囲を表す表示要素５３ａ、及び、選択用ボタン５３ｂ、５３ｃを含む。ユーザは、選択用ボタン５３ｂ及び選択用ボタン５３ｃのいずれかを選択して押下することで、設定時間帯（今晩）に加熱装置２３０を停止させるか否かを指定する。そして、ユーザインタフェース部１１０は、ユーザの指定（設定時間帯に加熱装置２３０を停止させるか否か）を制御部１８０に伝える。変形した制御装置１００も、コスト（電力量及び電力料金）について範囲を算定する以外は、図６に示す制御処理を行い得る。なお、ユーザにより設定時間帯に加熱装置２３０を稼動させるか否かに係る指定がなされないままで一定時間（例えば数十分）が経過したときには（ステップＳ２３）、図６に示す処理手順を一部変形して、制御部１８０により設定時間帯に加熱装置２３０を稼動させるように制御する（ステップＳ２０）こととしてもよい。
【００４３】
（実施の形態２）
以下、加湿制御システム１０の一部を変形して、サーバ装置３０から気象予報情報を受信せずに、加湿のための加熱装置２３０での加熱に要するコストを算定して出力し得るようにした加湿制御システム１０ａについて説明する。
【００４４】
図９は、本実施の形態に係る加湿制御システム１０ａの概略構成を示す図である。同図に示す加湿制御システム１０ａの構成要素のうち上述した加湿制御システム１０の構成要素と同様のものについては、図１と同じ符号を付しており、説明を省略する。
【００４５】
加湿制御システム１０ａは、外気を取り込んで屋内の各領域を加湿するためのシステムであり、制御装置１００ａ、吸放湿ユニット２００、送風装置２２０、加熱装置２３０、測定装置２４０及び情報端末５０を含んで構成される。
【００４６】
制御装置１００ａは、実施の形態１で示した制御装置１００を部分的に変形したものであり、加熱装置２３０等を制御する機能を有するコンピュータである。制御装置１００ａは、制御装置１００と同様に、通信Ｉ／Ｆ１０１、メモリ１０２及びプロセッサ１０３を含んで構成される。制御装置１００ａは、例えば、メモリ１０２に記憶されてプロセッサ１０３により実行される制御プログラムの内容が制御装置１００とは異なる。制御装置１００ａは、メモリ１０２の他にハードディスク装置等の記憶装置を含んでもよい。制御装置１００ａは、ユーザインタフェースとしての表示装置（ディスプレイ）及び入力装置（キーボード、タッチパネル等）を有してもよい。ここでは、制御装置１００ａは、制御装置１００と同様に、通信Ｉ／Ｆ１０１を用いて情報端末５０と通信することで、情報端末５０を制御装置１００ａのユーザインタフェース（表示装置及び入力装置）として利用することとする。
【００４７】
測定装置２４０は、温度センサを含んで構成され、外気の温度（外気温）を測定する機能を有する。測定装置２４０は、外気温が測定可能な位置に設置されて利用される。
【００４８】
制御装置１００ａは、加熱装置２３０を制御する制御処理を実行する。このために制御装置１００ａは機能面では、図１０に示すようにユーザインタフェース部１１０、記憶部１２０、空間情報取得部１３０、時間帯情報取得部１４０、外気温測定結果取得部１５１、温度特定部１６０、コスト算定部１７０ａ及び制御部１８０を備える。図１０に示す制御装置１００ａの構成要素のうち上述した制御装置１００の構成要素と同様のものについては、図２と同じ符号を付しており、説明を省略する。ここで特に説明しない点については、制御装置１００ａは、制御装置１００と同様である。
【００４９】
外気温測定結果取得部１５１は、通信Ｉ／Ｆ１０１、制御プログラムを実行するプロセッサ１０３等により実現され、測定装置２４０により測定された外気温を取得してコスト算定部１７０ａに伝える機能を有する。
【００５０】
コスト算定部１７０ａは、実施の形態１で示したコスト算定部１７０を部分的に変形したものであり、制御プログラムを実行するプロセッサ１０３等により実現される。コスト算定部１７０ａは、記憶部１２０に記憶された設定時間帯が到来する前に設定時間帯（将来の設定時間帯）における加熱装置２３０の稼動に要するコストを外気温に基づき算定する機能を有する。コスト算定部１７０ａは、外気温を、外気温測定結果取得部１５１から伝えられる。コスト算定部１７０ａは、加熱装置負荷算出部１７１ａ及び電力量算定部１７２を含んでいる。
【００５１】
加熱装置負荷算出部１７１ａは、外気温測定結果取得部１５１から伝えられた外気温（測定結果）に基づいて、例えば過去の外気温の時間的変化に関するデータ等を利用して、設定時間帯における単位時間（例えば１時間）毎の外気温を推定する。なお、外気温の測定結果から、設定時間帯における単位時間毎の外気温を推定（特定）するための方法として、従来のいかなる方法を用いてもよい。例えば、過去（前日等）の設定時間帯の直前の外気温の測定結果と、過去（前日等）の設定時間帯における単位時間毎の外気温の測定結果との差を、将来の設定時間帯の直前の外気温の測定結果に加算することで、将来の設定時間帯の単位時間毎の外気温を特定してもよい。加熱装置負荷算出部１７１ａでは、温度特定部１６０により特定された目標温度と、設定時間帯における単位時間毎の外気温との温度差に応じて、加熱装置２３０の負荷を単位時間毎に算出する。具体的には、加熱装置負荷算出部１７１ａは、目標温度と外気温との温度差（℃、Ｋ）に、空気の比熱（Ｊ／（ｋｇ・Ｋ））と空間情報が示す空間の大きさに対応する空気の量（立方メートル）と空気の密度（ｋｇ／立方メートル）とを乗ずることにより、負荷（Ｊ）を算出する。
【００５２】
電力量算定部１７２は、加熱装置負荷算出部１７１ａにより単位時間毎に算出された負荷（Ｊ）に基づいて、実施の形態１で示したように、単位時間における電力量（ｋＷｈ）を算出し、算出した単位時間毎の電力量の総和を、加熱装置２３０が設定時間帯において消費する電力量として算出する。また、電力量算定部１７２は、その設定時間帯の電力量から電力料金を算出する。このようにコスト算定部１７０ａは、加熱装置負荷算出部１７１ａ及び電力量算定部１７２により、設定時間帯における加熱装置２３０の電力消費に係るコストを算定する。コスト算定部１７０ａは、算定したコスト（電力量及び電力料金）を、ユーザインタフェース部１１０に出力させる。
【００５３】
制御装置１００ａの動作は、図６に示す制御処理において、ステップＳ１３で制御装置１００の気象予報情報取得部１５０が気象予報情報を取得する点を、外気温測定結果取得部１５１が測定装置２４０による外気温の測定結果を取得するように変更したものとなる。そして、上述したように、制御装置１００ａでは、気象予報情報から設定時間帯における外気温を特定する代わりに、測定装置２４０による外気温の測定結果から、設定時間帯における外気温を推定して加熱装置２３０の稼動に要する電力量等のコストの算定を行う。
【００５４】
このように制御装置１００ａが制御処理を行うことで、加湿制御システム１０ａでも、加湿のために外気を加熱する加熱装置２３０の稼動に要するコストを稼動に先行して算定し、表示し得る。
【００５５】
（実施の形態３）
以下、実施の形態１で示した加湿制御システム１０における制御装置１００の一部を変形してなる制御装置１００ｂについて説明する。
【００５６】
（構成）
本実施の形態に係る加湿制御システムは、制御装置１００ｂ以外の構成要素は、実施の形態１で示した加湿制御システム１０（図１参照）と同様であり、実施の形態１と同じ符号を用いて表す。
【００５７】
制御装置１００ｂは、ユーザにより入力されたコストに係る条件に基づいて加熱装置２３０を稼動させるか否かを判断して、加熱装置２３０の稼動及び停止の制御を行う機能を有する。
【００５８】
制御装置１００ｂは、制御装置１００とハードウェアについては同様であり（図１参照）、加熱装置２３０等を制御する機能を有するコンピュータである。制御装置１００ｂは、例えば、メモリ１０２に記憶されてプロセッサ１０３により実行される制御プログラムの内容が制御装置１００とは異なる。制御装置１００ｂは、制御装置１００と同様に、通信Ｉ／Ｆ１０１を用いて情報端末５０と通信することで、情報端末５０を制御装置１００ａのユーザインタフェース（表示装置及び入力装置）として利用し得る。
【００５９】
制御装置１００ｂは、加熱装置２３０を制御する制御処理を実行する。このために制御装置１００ｂは機能面では、図１１に示すようにユーザインタフェース部１１０、記憶部１２１、空間情報取得部１３０、時間帯情報取得部１４０、気象予報情報取得部１５０、温度特定部１６０、コスト算定部１７０、制御部１８１及び上限情報取得部１９０を備える。図１１に示す制御装置１００ｂの構成要素のうち上述した制御装置１００の構成要素と概ね同様のものについては、図２と同じ符号を付しており、説明を省略する。ここで特に説明しない点については、制御装置１００ｂは、制御装置１００と同様である。
【００６０】
記憶部１２１は、メモリ１０２の一領域等で実現され、空間情報、設定時間帯、目標温度特定用情報、上限情報等を記憶する機能を有する。上限情報は、加湿実行に要するコスト（つまり加熱装置２３０の加熱に要するコスト）の上限を示す情報である。
【００６１】
上限情報取得部１９０は、制御プログラムを実行するプロセッサ１０３等により実現され、ユーザインタフェース部１１０を介して、ユーザに入力された上限情報を取得し、記憶部１２１に記憶させる機能を有する。
【００６２】
制御装置１００ｂにおいてユーザインタフェース部１１０が、情報端末５０が受けたユーザ操作に係る情報を情報端末５０から受信することで取得する加湿制御設定情報は、空間情報、設定時間帯を示す時間帯情報に加えて上限情報を含む。加湿制御設定情報の各情報についてユーザが入力しない場合には予め定められた既定値（デフォルト値）が用いられる。図１２に、加湿制御設定情報の入力画面の一例を示す。同図に示す画面５４は、加湿する空間の大きさの入力用の入力フィールド５４ａ、加湿する時間帯（設定時間帯）の入力用の入力フィールド５４ｂ、５４ｃ、加湿実行に要するコストの上限（一例としては加熱装置２３０の電力料金の上限）の入力用の入力フィールド５４ｄ、及び、設定ボタン５４ｅを含む。ユーザは、各入力フィールドに数値を入力して設定ボタン５４ｅを押下することで、加湿制御設定情報の入力を行い、ユーザインタフェース部１１０は、入力内容を取得する。
【００６３】
制御装置１００ｂにおける気象予報情報取得部１５０は、設定時間帯の始期が到来した際に、最新の外気温等を示す気象予報情報をサーバ装置３０から取得する。
【００６４】
コスト算定部１７０は、実施の形態１で示したように加熱装置負荷算出部１７１及び電力量算定部１７２により、設定時間帯における加熱装置２３０の電力消費に係るコストを算定する。但し、制御装置１００ｂにおけるコスト算定部１７０は、算定したコスト（電力量及び電力料金）を、ユーザインタフェース部１１０に出力させなくてもよい。
【００６５】
制御部１８１は、例えば通信Ｉ／Ｆ１０１、制御プログラムを実行するプロセッサ１０３等により実現される。制御部１８１は、コスト算定部１７０により算定されたコストが、記憶部１２１に格納された上限情報が示す条件を満たすか否かにより、設定時間帯に加熱装置２３０を稼動させる或いは停止させる制御を行う機能を有する。制御部１８１は、加熱装置２３０を設定時間帯において稼動させる場合には、温度特定部１６０により特定された目標温度まで加熱するように加熱装置２３０を制御する。本実施の形態に係る加湿制御システム１０による居室２１の加湿の制御は、主に制御装置１００ｂによる加熱装置２３０の制御によって行われる。
【００６６】
上述の各機能構成要素を備える制御装置１００ｂは、将来の設定時間帯における加熱装置２３０の稼動に要するコストを外気温に基づき算定し、算定結果を用いてその設定時間帯における加熱装置２３０の稼動に関連する所定処理（稼動させるか停止させるかのいずれかを行う制御等）を実行する。
【００６７】
（動作）
図１３は、制御装置１００ｂによる制御処理の一例を示すフローチャートである。以下、図１３に即して制御処理を説明する。この制御処理は、例えば、ユーザが加湿制御システム１０を利用し始めるときに開始される。本実施の形態に係る加湿制御システム１０の利用開始に際して、ユーザは、情報端末５０を用いて、図１２に例示するような入力画面（画面５４）等により、加湿制御設定情報を入力する。
【００６８】
情報端末５０に対するユーザ操作等を受けて、制御装置１００ｂの空間情報取得部１３０は、ユーザインタフェース部１１０を介して空間情報を取得し、記憶部１２１に格納する（ステップＳ３１）。また、制御装置１００ｂの時間帯情報取得部１４０は、ユーザインタフェース部１１０を介して加湿をする時間帯（設定時間帯）を示す時間帯情報を取得し、設定時間帯を記憶部１２１に格納する（ステップＳ３２）。また、制御装置１００ｂの上限情報取得部１９０は、ユーザインタフェース部１１０を介して加湿実行に要するコストの上限（例えば電力料金の上限）を示す上限情報を取得し、記憶部１２１に格納する（ステップＳ３３）。
【００６９】
制御装置１００ｂは、ステップＳ３２で取得した設定時間帯が到来した際に、ステップＳ３５以降での処理を実行し、設定時間帯が到来しない間は待機する（ステップＳ３４）。これにより、毎日、その設定時間帯が到来した際に、ステップＳ３５以降での処理が繰り返される。ステップＳ３５〜Ｓ３９での処理は、図６に示したステップＳ１３〜Ｓ１７での処理と同様である。
【００７０】
即ち、ステップＳ３５では、制御装置１００ｂの気象予報情報取得部１５０は、サーバ装置３０から外気温等を示す気象予報情報を取得する。ステップＳ３６では、制御装置１００ｂの温度特定部１６０は、記憶部１２１の空間情報に応じて、加熱装置２３０による加熱に係る目標温度を特定する。ステップＳ３７では、制御装置１００ｂは、コスト算定部１７０（加熱装置負荷算出部１７１）により、気象予報情報に基づく設定時間帯における外気温（予測値）と目標温度との温度差から加熱装置負荷（加熱装置２３０の負荷）を算出する。ステップＳ３８では、コスト算定部１７０（電力量算定部１７２）は、加熱装置負荷から、設定時間帯における加熱装置２３０の稼動に要する電力量を算定する。そして、ステップＳ３９でコスト算定部１７０（電力量算定部１７２）は、電力量に対応する電力料金を算定する。
【００７１】
次に、制御装置１００ｂの制御部１８１は、コスト算定部１７０に算定された電力料金が、記憶部１２１内の上限情報が示す電力料金の上限を超えるか否かを判別する（ステップＳ４０）。算定された電力料金（設定時間帯の加熱装置２３０の稼動に要する電力料金）が上限を超えない場合には、制御部１８１は、設定時間帯に加熱装置２３０を稼動させるよう制御する（ステップＳ４１）。具体的には、制御部１８１は、ステップＳ３６で特定された目標温度となるように加熱装置２３０に加熱を実行させる。例えば、制御部１８１は、加熱装置２３０に目標温度を含み稼動を指示する信号の伝達を行うことでステップＳ４１での制御を実現し得る。一方、算定された電力料金（設定時間帯の加熱装置２３０の稼動に要する電力料金）が上限を超える場合には、制御部１８１は、設定時間帯に加熱装置２３０を停止させる（つまり稼動させない）よう制御する（ステップＳ４２）。
【００７２】
このような制御処理により、本実施の形態に係る加湿制御システム１０では、加湿のために外気を加熱する加熱装置２３０の稼動に要するコストを稼動に先行して算定し得る。そして、そのコストについての算定結果に応じて、設定時間帯に加熱装置２３０を稼動させるか停止させるかのいずれかを行うよう制御し得る。このため、ユーザは、例えば図１２に示す画面５４等により電力料金の上限を一度入力しておけば、外気温が特に低い日等において一晩に加熱装置２３０の加熱に要した電力料金が上限を超える事態の発生を防止し得る。
【００７３】
（他の実施の形態等）
以上、実施の形態１〜３により加湿制御システム１０、１０ａについて説明したが、上述した実施の形態は一例にすぎず、各種の変更、付加、省略等が可能であることは言うまでもない。
【００７４】
上述の実施の形態では、加湿制御システム１０、１０ａが、情報端末５０を含む例を示したが、情報端末５０を含まなくてもよい。この場合には、制御装置１００、１００ａ、１００ｂは、ユーザインタフェースとして表示装置及び入力装置を備えていれば、そのユーザインタフェースを用いてユーザインタフェース部１１０が表示或いは入力の受け付けを行うことができる。また、加湿制御システム１０、１０ａは、全館空調システムの一部を構成するものであってもよく、制御装置１００、１００ａ、１００ｂが加熱装置２３０以外の装置（全館空調システムを構成する空調機器等）を更に制御してもよい。
【００７５】
また、上述の実施の形態では、目標温度特定用情報（図４参照）は、空間の大きさと目標温度とを対応付けた情報であることとしたが、目標温度特定用情報は、空間の大きさと加湿する時間の長さとの組に対して目標温度を定めた情報であってもよい。この場合には、目標温度は、空間の大きさが大きいほど高い温度となり、また、加湿する時間の長さが長いほど高い温度となる。これに対応して温度特定部１６０は、目標温度特定用情報と、空間情報が示す空間の大きさと、設定時間帯の長さとに基づいて、加熱装置２３０により外気を加熱するときの目標温度を特定し得る。なお、温度特定部１６０は、目標温度特定用情報を用いる代わりに他の方法（計算等）により、加湿対象の領域を適切な湿度にするために加熱装置２３０により外気を加熱するときの目標温度を、特定してもよい。
【００７６】
また、上述の実施の形態では、制御装置１００、１００ａが算定したコスト（設定時間帯における加熱装置２３０の稼動に要するコスト）を出力（送信、表示）する例を示した。しかし、コストの出力は他の方法で行ってもよく、例えば、コストを表す音声をスピーカ等から出力してもよいし、コストの大きさと予め対応付けた態様で表示或いは発光等を行ってもよい。
【００７７】
また、上述の実施の形態３では、制御装置１００ｂが、ユーザに指定された電力料金の上限を超えない範囲で一晩の設定時間帯における加熱装置の稼動を実行する制御を行う例を示した。この他に、制御装置１００ｂは、ユーザに指定された電力量の上限を超えない範囲で一晩の設定時間帯における加熱装置の稼動を実行することとしてもよい。
【００７８】
また、上述した制御装置１００、１００ａ、１００ｂは、例えば、住宅２０における電力等のエネルギー管理をするＨＥＭＳ（Home Energy Management System）におけるＨＥＭＳコントローラとしての機能を担ってもよい。ＨＥＭＳコントローラとしての機能を担う場合に、制御装置１００、１００ａ、１００ｂは、例えば電力消費の抑制等のために、住宅２０における各種ＨＥＭＳ機器（空調機器、家電機器、発電装置、蓄電装置、加熱装置２３０等）を、ＨＡＮ（Home Area Network）を介して制御する。また、制御装置１００、１００ａ、１００ｂは、ＨＥＭＳ機器による電力の需給の状態を測定して、その測定結果に基づき住宅２０における電力の需給の状態を、情報端末５０等に表示してもよい。
【００７９】
また、上述の実施の形態では吸放湿ユニット２００が壁パネルの中に設けられた例を示したが、吸放湿ユニットは他の場所に設けられてもよく、例えば天井裏等に設けられてもよい。また、吸放湿ユニット２００は、吸放湿材２１０を含めばよく、内部における空気の通過経路は下部から上部への経路に限られることはない。また吸放湿ユニット２００は、任意の形状及び構造を有し得る。
【００８０】
また、上述の実施の形態では、加湿制御システム１０、１０ａが住宅２０の一領域（居室２１）を加湿する例を示したが、複数の領域を加湿することとしてもよい。複数の領域（居室等）を加湿する場合には、加湿制御システム１０、１０ａは、その領域毎に吸放湿ユニットを備える構成であってもよいし、１つの吸放湿ユニットが複数の領域それぞれに空気を吹き出せるように例えば分岐するエアダクトを備える構成であってもよい。また、加湿制御システム１０、１０ａは住宅２０以外の事務所、ビルその他の施設において用いられてもよい。
【００８１】
また、上述の実施の形態で示した制御装置１００、１００ａ、１００ｂの機能の一部を他の装置（例えば住宅２０の外部のサーバ等）が分担してもよい。また、上述の加湿制御システム１０、１０ａにおける制御処理の手順（図６、図１３参照）の実行順序は、必ずしも、上述した通りの順序に制限されるものではなく、発明の要旨を逸脱しない範囲で、実行順序を入れ替えたりその一部を省略したりすることができる。また、上述の制御処理の全部又は一部は、制御装置１００、１００ａ、１００ｂ或いは他の装置のハードウェアにより実現されても、ソフトウェアを用いて実現されてもよい。なお、ソフトウェアによる処理は、制御装置１００、１００ａ、１００ｂ或いは他の装置に含まれるプロセッサがメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、装置に制御処理の全部又は一部を行わせることが可能となる。
【００８２】
また、上述した実施の形態及び変形例等で示した構成要素及び機能を任意に組み合わせることで実現される形態も本発明の範囲に含まれる。
【００８３】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００８４】
以下、本発明の一態様に係る加湿制御システム、及び、この加湿制御システムで用いられる制御プログラムの構成、変形態様、効果等について示す。
【００８５】
（１）本発明の一態様に係る加湿制御システムは、吸放湿材２１０と、吸放湿材２１０へと外気を送る送風装置２２０と、送風装置２２０により吸放湿材２１０へと送られる外気を加熱するための加熱装置２３０と、加熱装置２３０の稼動に係る制御を行う制御装置１００、１００ａ、１００ｂとを備える加湿制御システム１０、１０ａであって、制御装置１００、１００ａ、１００ｂは、将来の設定時間帯における加熱装置２３０の稼動に要するコストを外気温に基づき算定し、算定結果を用いてその設定時間帯における加熱装置２３０の稼動に関連する所定処理を実行する。設定時間帯における加熱装置２３０の稼動に関連する所定処理は、例えば、その稼動に要するコストの表示であり、また、例えば、その設定時間帯に稼動させる或いは停止（稼動を抑止）する制御等である。
【００８６】
この構成により、加湿のために要する加熱装置２３０の消費電力等のコストを算定できる。このため、例えば、そのコストの高低に応じて加熱装置２３０を稼動させる、或いは、稼動させないという選択が可能となる。
【００８７】
（２）例えば、前記コストは、設定時間帯における加熱装置２３０の稼動に要する電力量又はその電力量に対応する電力料金であり、制御装置１００、１００ａは、前記所定処理として前記コストについての算定結果の出力を行うこととしてもよい。
【００８８】
これにより、設定時間帯における加熱装置２３０の稼動に要するコストが出力されるので、例えば、出力されたコストを確認することで、ユーザは、そのコストを踏まえて、設定時間帯に加熱装置２３０を稼動させるか否かを決定できる。
【００８９】
（３）例えば、制御装置１００、１００ａは、前記コストについての算定結果を表示して、設定時間帯に加熱装置２３０を稼動させる又は停止させることを指定する操作を受け付けるユーザインタフェース部１１０を備え、制御装置１００、１００ａは、ユーザインタフェース部１１０により受け付けられた操作に応じて設定時間帯に加熱装置２３０を稼動させる又は停止させるよう制御することとしてもよい。
【００９０】
これにより、設定時間帯における加熱装置２３０の稼動に要するコストが表示されるので、ユーザは、そのコストを踏まえて操作して、設定時間帯に加熱装置２３０を稼動させること或いは停止させることを指示し得る。
【００９１】
（４）例えば、制御装置１００、１００ａは、加湿対象空間の大きさを示す空間情報を取得する空間情報取得部１３０と、空間情報に基づいて、加熱装置２３０により外気を加熱するときの目標温度を特定する温度特定部１６０とを備え、制御装置１００、１００ａは、設定時間帯における外気温と目標温度との温度差に応じて前記コストを算定することとしてもよい。設定時間帯における外気温は、例えば、測定した外気温或いは取得した気象予報情報が示す外気温に基づいて特定され得る。
【００９２】
これにより、加湿対象の空間の大きさに応じて適切に前記コストの算定が可能となり得る。
【００９３】
（５）例えば、制御装置１００は、将来の外気温を示す気象予報情報を取得する気象予報情報取得部１５０を備え、制御装置１００は、気象予報情報に基づいて設定時間帯における外気温を特定し、特定した外気温と目標温度との温度差に応じて前記コストを算定することとしてもよい。
【００９４】
これにより、加湿制御システム１０において、外気温を測定する測定装置等を設けなくても、前記コストの算定を行えるようになる。
【００９５】
（６）例えば、制御装置１００は、気象予報情報に基づいて、設定時間帯における単位時間毎に外気温の最大値と最小値とを特定し、特定した最大値と目標温度との温度差、及び、特定した最小値と目標温度との温度差に応じて、前記コストの範囲を算定し、ユーザインタフェース部１１０は、前記コストの範囲についての算定結果を表示することとしてもよい。前記コストの範囲についての算定結果には、例えば、気象予報情報における外気温についての予測誤差等が反映され得る。
【００９６】
これにより、ユーザは、前記コストの範囲を把握し得る。
【００９７】
（７）例えば、ユーザインタフェース部１１０は更に、設定時間帯を定める設定操作を受け付け、制御装置１００は、ユーザインタフェース部１１０により受け付けられた設定操作に応じて、設定時間帯を定めることとしてもよい。
【００９８】
これにより、ユーザの生活スタイルに合わせてユーザが設定時間帯を設定し得る。
【００９９】
（８）例えば、加湿制御システム１０ａは、外気温を測定する測定装置２４０を備え、制御装置１００ａは、測定装置２４０により測定された外気温に基づいて将来の設定時間帯における外気温を特定し、特定した外気温と目標温度との温度差に応じて前記コストを算定することとしてもよい。
【０１００】
これにより、加湿制御システム１０ａは、例えば気象予報情報をサーバ装置３０等から受信する機能（例えば広域ネットワークとの通信機能等）を有さなくても、前記コストの算定を行えるようになる。
【０１０１】
（９）例えば、制御装置１００ｂは、前記所定処理として、前記コストについての算定結果に応じて設定時間帯に加熱装置２３０を稼動させるか停止させるかのいずれかを行うよう制御することとしてもよい。
【０１０２】
これにより、例えば前記コストの算定結果に応じてユーザが設定時間帯毎に特段の操作を行わなくても、前記コストに応じて加熱装置２３０の稼動及び停止の制御（自動制御）がなされるようになる。
【０１０３】
（１０）例えば、制御装置１００ｂは、ユーザにより指定されたコストの上限を示す上限情報を取得する上限情報取得部１９０を備え、制御装置１００ｂは、前記コストについての算定結果が、上限情報が示す上限を超えない場合に設定時間帯に加熱装置２３０を稼動させ、その算定結果が、上限情報が示す上限を超える場合には設定時間帯に加熱装置２３０を停止させることとしてもよい。
【０１０４】
これにより、ユーザが指定したコストの上限に係る条件に従って、制御装置１００ｂにより、前記コストに応じた加熱装置２３０の稼動及び停止の制御がなされるようになる。
【０１０５】
（１１）本発明の一態様に係る制御プログラムは、吸放湿材２１０と、吸放湿材２１０へと外気を送る送風装置２２０と、送風装置２２０により吸放湿材２１０へと送られる外気を加熱するための加熱装置２３０と、マイクロプロセッサを有し加熱装置２３０の稼動に係る制御を行う制御装置１００、１００ａ、１００ｂとを備える加湿制御システム１０、１０ａにおいて、制御装置１００、１００ａ、１００ｂに制御処理を実行させるための制御プログラムであって、制御処理は、外気温に関する情報を取得する取得ステップ（例えばステップＳ１３、Ｓ３５等）と、前記取得ステップにおいて取得された情報に基づいて将来の設定時間帯における外気温を特定する外気温特定ステップ（例えばステップＳ１５、Ｓ３７等）と、設定時間帯における加熱装置２３０の稼動に要するコストを、前記外気温特定ステップで特定された外気温に基づいて算定する算定ステップ（例えばステップＳ１６、Ｓ１７、Ｓ３８、Ｓ３９等）と、前記算定ステップで算定された前記コストを用いて、設定時間帯における加熱装置２３０の稼動に関連する所定処理を実行する処理ステップ（例えばステップＳ１８、Ｓ４０〜Ｓ４２等）とを含む。
【０１０６】
この制御プログラムを、マイクロプロセッサを備えるコンピュータである制御装置１００、１００ａ、１００ｂにインストールすれば、制御装置１００、１００ａ、１００ｂが制御処理を行い、加湿のために要する加熱装置２３０の消費電力等のコストを算定できる。このため、例えば、そのコストの高低に応じて加熱装置２３０を稼動させる、或いは、稼動させないという選択が可能となる。
【符号の説明】
【０１０７】
１０、１０ａ  加湿制御システム
１００、１００ａ、１００ｂ  制御装置
１０３  プロセッサ（マイクロプロセッサ）
１１０  ユーザインタフェース部
１３０  空間情報取得部
１５０  気象予報情報取得部
１６０  温度特定部
１９０  上限情報取得部
２１０  吸放湿材
２２０  送風装置
２３０  加熱装置
２４０  測定装置
【図１】
2017161205.tif 000003
【図２】
2017161205.tif 000004
【図３】
2017161205.tif 000005
【図４】
2017161205.tif 000006
【図５】
2017161205.tif 000007
【図６】
2017161205.tif 000008
【図７】
2017161205.tif 000009
【図８】
2017161205.tif 000010
【図９】
2017161205.tif 000011
【図１０】
2017161205.tif 000012
【図１１】
2017161205.tif 000013
【図１２】
2017161205.tif 000014
【図１３】
2017161205.tif 000015